(57)【要約】【課題】  振動篩用網の傾斜角度の如何に拘わらず、効果的に振動篩用網の目詰まりを防止し得る目詰まり防止機能付振動篩用網を提供すること。【解決手段】  芯線のない複数の平行な合成樹脂製縦線２ｂと、合成樹脂製縦線に交差し金属製の芯線３を埋設された複数の平行な合成樹脂製横線２ａとを、交差部２’にて熱溶着して縦横一体とした振動篩用網２を有する目詰まり防止機能付振動篩用網１であって、振動篩用網２の下側に合成樹脂製縦線２ｂに平行に薄板帯状固定板５を所定間隔を以って複数固定し、振動篩用網２及び薄板帯状固定板５の下側に合成樹脂製の叩打用網４が配設されており、叩打用網４は薄板帯状固定板５の下側位置においてのみ薄板帯状固定板に固定され、隣接する薄板帯状固定板５間の範囲においては振動篩用網２の下側には接続しないように構成し、叩打用網４にて振動篩用網２を叩打し得るように構成する。【選択図】  図４
2019069422.tif 000002
【特許請求の範囲】
【請求項１】
芯線のない複数の平行な合成樹脂製縦線と、これらの合成樹脂製縦線に交差するものであって金属製の芯線を埋設された複数の平行な合成樹脂製横線とを、それらの交差部にて熱溶着して縦横一体とした振動篩用網を有する目詰まり防止機能付振動篩用網において、
上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設されており、
上記叩打用網は上記薄板帯状固定板の下側位置においてのみ、当該薄板帯状固定板に固定され、隣接する上記薄板帯状固定板間の範囲においては上記振動篩用網の下側には接続されていないものであることを特徴とする目詰まり防止機能付振動篩用網。
【請求項２】
上記各薄板帯状固定板の長手方向の両側の縁に沿う所定の横幅の各縦方向エリアにおける上記振動篩用網は、熱溶着された上記交差部の中に、複数の連続する上記交差部を非溶着交差部とした非溶着範囲が形成されている請求項１記載の目詰まり防止機能付振動篩用網。
【請求項３】
上記各薄板帯状固定板の長手方向の両側の縁に沿う所定の横幅の各縦方向エリアにおける上記振動篩用網は、複数の連続する上記交差部を非溶着交差部とした非溶着範囲と、複数の連続する上記交差部により形成された溶着範囲とが、交互に形成されているものである請求項１記載の目詰まり防止機能付振動篩用網。
【請求項４】
上記各薄板帯状固定板の長手方向の両側の縁に沿う所定の横幅の各縦方向エリアにおける上記振動篩用網は、上記各交差部において千鳥状に非溶着交差部が形成されているものである請求項１記載の目詰まり防止機能付振動用網。
【請求項５】
上記振動篩用網は、上記合成樹脂製横線の両縁が各々反対方向に伸長された状態で上記合成樹脂製横線の両端側が一対の振動縦板間に張設され、
上記叩打用網における上記薄板帯状固定板に固定された部分の下側に支持部材が当接状態で設けられたものである上記第１〜４の何れかに記載の目詰まり防止機能付振動篩用網を使用した振動篩装置。
【発明の詳細な説明】
【技術分野】
【０００１】
本発明は、工業用の振動篩装置に張設する目詰まり防止機構付振動篩用網及びそれを使用した振動篩装置に関するものである。
【背景技術】
【０００２】
従来、この種の振動篩用網は、特許文献１に示すように、振動篩の両側のフレーム間に振動篩用網が張設されており、この振動篩用網の下側に被篩体流れ方向に直交する複数の軸が設けられると共に仕切り網が設けられ、上記複数の軸と仕切り網の間に複数の収納室が設形成され、その収納室の内部に複数の球体が収納され、上記フレームが振動することにより、上記収納室内の複数の球体が上記振動篩用網を下側から叩打し、これにより上記振動篩用網の目詰まりを防止する構成であった。
【０００３】
その他、振動篩用網の上面に複数の球体を紐で取り付け、振動篩用網の振動により球体が網表面で振動することにより、網の目詰まりを防止する構成のものもある。
【先行技術文献】
【特許文献】
【０００４】
【特許文献１】特開平８−１５５３９６号公報
【発明の概要】
【発明が解決しようとする課題】
【０００５】
ところで、振動篩用網の全体は、被篩体流れ方向の上流側から下流側に向けて振動篩用網自体が若干下り傾斜となるように設置されるが、上記従来の振動篩用網では、この傾斜のため、上記球体が低い側（下流側）に偏在することになり、各収納室内において、或いは、振動篩用網の表面において、叩打位置にむらが生じることになり、十分な目詰まり防止効果が得られないという課題がある。
【０００６】
また、被篩体の性状によっては、振動篩用網を急傾斜（例えば４５度程度傾斜）させて使用する場合もあり得るが、このように急傾斜すると、収納室内の球体の偏在が顕著となるため、急傾斜の振動篩用網の目詰まり防止には適していないという課題があった。
【０００７】
本発明は上記従来の課題に鑑みてなされたものであり、振動篩用網の傾斜角度の如何に拘わらず、効果的に振動篩用網の目詰まりを防止し得る目詰まり防止機能付振動篩用網及び当該振動篩用網を使用した振動篩装置を提供することを目的とする。
【課題を解決するための手段】
【０００８】
上記の目的を達成するため本発明は、
第１に、芯線のない複数の平行な合成樹脂製縦線と、これらの合成樹脂製縦線に交差するものであって金属製の芯線を埋設された複数の平行な合成樹脂製横線とを、それらの交差部にて熱溶着して縦横一体とした振動篩用網を有する目詰まり防止機能付振動篩用網において、上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設されており、上記叩打用網は上記薄板帯状固定板の下側位置においてのみ、当該薄板帯状固定板に固定され、隣接する上記薄板帯状固定板間の範囲においては上記振動篩用網の下側には接続されていないものであることを特徴とする目詰まり防止機能付振動篩用網により構成される。
【０００９】
このように構成すると、目詰まり防止機能付振動篩用網を、その合成樹脂製横線の両端側を一対の例えば振動縦板等に固定することで振動篩装置に張設し、上記薄板帯状固定板に対応する下側を防振ゴム等の支持部材にて支持した状態で、上記振動縦板等を楕円軌跡等を含む上下方向又は斜め上下方向に振動させると、各薄板帯状固定板間の叩打用網が弾性によりその中央部を最大ストロークとして上下方向に振動し、振動篩用網の下側を叩打するため、上記振動篩用網の目詰まりを防止することができる。また、振動篩用網に叩打用網が一体に形成されているので、目詰まり防止機能付振動篩用網を傾斜状態で設置しても、支障なく、目詰まり防止機構を発揮し得る。
【００１０】
第２に、上記各薄板帯状固定板の長手方向の両側の縁に沿う所定の横幅の各縦方向エリアにおける上記振動篩用網は、熱溶着された上記交差部の中に、複数の連続する上記交差部を非溶着交差部とした非溶着範囲が形成されている上記第１記載の目詰まり防止機能付振動篩用網により構成される。
【００１１】
上記所定の横幅は例えば一定の横幅（Ａ１，Ａ１’）とすることができる。このように構成すると、目詰まり防止機能付振動篩用網を、その合成樹脂製横線の両端側を一対の例えば振動縦板等に固定することで振動篩装置に張設し、上記薄板帯状固定板に対応する下側を防振ゴム等の支持部材にて支持した状態で、上記振動縦板等を楕円軌跡等を含む上下方向又は斜め上下方向に振動させると、各薄板帯状固定板間の叩打用網が弾性によりその中央部を最大ストロークとして上下方向に振動し、振動篩用網の下側を叩打するが、上記中央部に比較して上記叩打用網の振動ストロークの小さい、又は、伝達振動の小さい上記縦方向エリアにおいては、振動篩用網において交差部の非溶着範囲が形成されているので、叩打用網の比較的小さいストロークによる叩打作用、又は小さい伝達振動であっても効果的に目詰まりを防止することができる。
【００１２】
第３に、上記各薄板帯状固定板の長手方向の両側の縁に沿う所定の横幅の各縦方向エリアにおける上記振動篩用網は、複数の連続する上記交差部を非溶着交差部とした非溶着範囲と、複数の連続する上記交差部により形成された溶着範囲とが、交互に形成されているものである上記第１記載の目詰まり防止機能付振動篩用網により構成される。
【００１３】
このように構成すると、目詰まり防止機能付振動篩用網を、振動篩装置に張設し、上記薄板帯状固定板に対応する下側を防振ゴム等の支持部材にて支持した状態で、振動縦板を楕円軌跡等を含む上下方向又は斜め上下方向に振動させると、中央部に比較して叩打用網の振動ストロークの小さい、又は伝達振動の小さい上記縦方向エリアにおいては、振動篩用網において溶着範囲と非溶着範囲が交互に形成されているので、叩打用網の比較的小さいストロークによる叩打作用、又は小さい伝達振動あっても効果的に目詰まりを防止することができる。
【００１４】
第４に、上記各薄板帯状固定板の長手方向の両側の縁に沿う所定の横幅の各縦方向エリアにおける上記振動篩用網は、上記各交差部において千鳥状に非溶着交差部が形成されているものである上記第１記載の目詰まり防止機能付振動篩用網により構成される。
【００１５】
このように構成すると、目詰まり防止機能付振動篩用網を、振動篩装置に張設し、上記薄板帯状固定板に対応する下側を防振ゴム等の支持部材にて支持した状態で、振動縦板を楕円軌跡等を含む上下方向又は斜め上下方向に振動させると、中央部に比較して叩打用網の振動ストロークの小さい上記縦方向エリアにおいては、振動篩用網の交差部において千鳥状に非溶着範囲が形成されているので、叩打用網の比較的小さいストロークによる叩打作用、又は小さい伝達振動であっても効果的に目詰まりを防止することができる。
【００１６】
第５に、上記振動篩用網は、上記合成樹脂製横線の両縁が各々反対方向に伸長された状態で上記合成樹脂製横線の両端側が一対の振動縦板間に張設され、上記叩打用網における上記薄板帯状固定板に固定された部分の下側に支持部材が当接状態で設けられたものである上記第１〜４の何れかに記載の目詰まり防止機能付振動篩用網を使用した振動篩装置により構成される。
【００１７】
上記支持部材は、例えば上端に防止ゴム（１０）が固定された支持棒（１１）により構成することができる。このように構成すると、振動縦板を楕円軌跡等を含む上下方向又は斜め上下方向に振動させると、各薄板帯状固定板間の叩打用網がその中央部を最大ストロークとして上下方向に振動し、振動篩用網の下側を叩打するため、上記振動篩用網の目詰まりを効果的に防止することができる。
【発明の効果】
【００１８】
本発明は、目詰まり防止機能付振動篩用網を、その合成樹脂製横線の両端側を一対の振動縦板等の固定部材に固定することで振動篩装置に張設し、上記薄板帯状固定板に対応する下側を支持部材にて支持した状態で、上目詰まり防止機構付振動用網を振動させると、各薄板帯状固定板間の叩打用網がその中央部を最大ストロークとして上下方向に振動し、振動篩用網の下側を叩打するため、上記振動篩用網の目詰まりを効果的に防止することができる。
【００１９】
また、振動篩用網と叩打用網が一体であるので、目詰まり防止機能付振動篩用網を振動篩装置に傾斜して設置しても、従来のように球体が偏在することがなく、目詰まり防止機能が低下することはない。
【００２０】
また、叩打用網の中央部に比較して振動ストロークの小さい薄板帯状固定板両側の縦方向エリアにおいては、振動篩用網の交差部に非溶着範囲が形成されているので、上記縦方向エリアにおいては叩打用網の比較的小さいストロークによる叩打作用、又は、小さい伝達振動であっても効果的に目詰まりを防止することができ、振動篩用網の略全面に亘り高い目詰まり防止効果を発揮することができる。
【００２１】
また、叩打用網の中央部に比較して振動ストロークの小さい薄板帯状固定板の両側の縦方向エリアにおいては、交差部において千鳥状に非溶着範囲が形成されているので、叩打用網の比較的小さいストロークによる叩打作用であっても効果的に目詰まりを防止することができ、振動篩用網の略全面に亘り高い目詰まりを防止効果を発揮することができる。
【００２２】
また、振動縦板を楕円軌跡等を含む上下方向又は斜め上下方向に振動させると、各薄板帯状固定板間の叩打用網がその中央部を最大ストロークとして上下方向に振動し、振動篩用網の下側を叩打するため、上記振動篩用網の目詰まりを効果的に防止し得る振動篩装置を実現することができる。
【図面の簡単な説明】
【００２３】
【図１】（ａ）は本発明に係る目詰まり防止機能付振動篩用網の一部切欠き平面図、（ｂ）は同上振動篩用網の側面図であり、防振ゴムの位置を記載したものである。
【図２】同上目詰まり防止機能付振動篩用網の底面図である（振動篩用網は省略）。
【図３】同上目詰まり防止機能付振動篩用網の一部分解斜視図である。
【図４】同上目詰まり防止機構付振動篩用網の叩打状態を示す同網の側面図である。
【図５】同上目詰まり防止機構付振動篩用網を振動篩装置に装着した場合の振動篩装置の横断面図である。
【図６】同上目詰まり防止機能付振動篩用網の端部の振動篩装置への固定構造を示す断面図である。
【図７】同上目詰まり防止機構付振動篩用網を使用した振動篩装置の側面図である。
【図８】同上目詰まり防止機能付振動篩用網における千鳥状の非溶着部を示す振動篩網の拡大図である。
【図９】同上目詰まり防止機能付振動篩用網における非溶着範囲を示す振動篩用網の拡大図である。
【図１０】同上目詰まり防止機能付振動篩用網における非溶着範囲を示す同網の概略平面図である。
【発明を実施するための形態】
【００２４】
以下、本発明に係る目詰まり防止機能付振動篩用網を詳細に説明する。
図１（ａ）は目詰まり防止機能付振動篩用網１の平面図、同図（ｂ）は（ａ）の側面図であり、振動篩装置に設けられた防振ゴム１０を固定した支持棒１１を二点鎖線にて記載している。尚、同図において、上下方向（矢印Ａ方向）を「縦方向」、縦方向に直交する方向を「横方向」といい、振動篩装置に設置されたとき縦方向（矢印Ａ方向）に被篩体が移動するものとする。
【００２５】
本発明に係る目詰まり防止機能付振動篩用網１は、上側の方形の小さい升目の振動篩用網２と、下側の方形の大きい升目の叩打用網４と、該叩打用網４を上記振動篩用網２の裏面側に接続するための薄板帯状固定板５から構成されている。従って、以下の説明において網の全体を示すときは「目詰まり防止機構付振動篩用網１」といい、上側の振動篩用網２のみを示すときは「振動篩用網２」といい、下側の叩打用網４のみを示すときは「叩打用網４」という。
【００２６】
ここで、上記振動篩用網２の横方向の線を「合成樹脂製横線２ａ」といい、合成樹脂製横線２ａ内部の中心部には金属製の芯線３が埋設されている（図３参照）。上記振動篩用網２の縦方向の線を「合成樹脂製縦線２ｂ」といい、合成樹脂製縦線２ｂには芯線は埋設されていない。また、上記叩打用網４の上記横方向の線を「合成樹脂製横線４ａ」といい、上記叩打用網４の縦方向の線を「合成樹脂製縦線４ｂ」という。
【００２７】
また、上記合成樹脂製横線２ａ，４ａ、上記合成樹脂製縦線２ｂ，４ｂは何れもウレタンにより構成されており、上記薄板帯状固定板５も同じくウレタンにより構成されている。
【００２８】
また、図１において、構造をわかりやすくするために、分解図のように上側の振動篩用網２の面積より下側の叩打用網４の面積を広く描いているが、実際には、１枚の目詰まり防止機能付振動篩用網１としては、振動篩用網２と叩打用網４とは同一の面積であり、上記振動篩用網２と上記叩打用網４の間に、縦方向に平行に、横方向に一定間隔ｔ２を以って（図４参照）、複数の上記薄板帯状固定板５（横幅ｔ１）が配置されている構成である。上記薄板帯状固定板５の縦方向の長さは、目詰まり防止機構付振動篩用網１の縦方向の長さと同一の長さに形成されている。
【００２９】
図１に示すように、上記振動用篩網２は、芯線のない複数の平行な合成樹脂製縦線２ｂと、これらの合成樹脂製縦線２ｂに交差するものであって金属製の芯線３を埋設された複数の平行な合成樹脂横線２ａとを、それらの交差部２’にて熱溶着して縦横一体とした網から構成されている。
【００３０】
上記振動篩用網２の下側には、上記合成樹脂製縦線２ｂに平行に一定幅ｔ１の薄板帯状固定板５が所定間隔（実施形態では間隔ｔ２、図４参照）を以って複数固定されている。より具体的には、この薄板帯状固定板５は、厚さ約２ｍｍ〜３ｍｍのウレタン製の柔軟な板であり、その上面５ａ側が上記振動篩用網２の合成樹脂横線２ａに熱溶着により固定されている。この薄板帯状固定板５は、合成樹脂製縦線２ｂに平行に固定されており、上記振動篩用網２の横方向に上記間隔ｔ２を以って、互いに平行に複数設けられるものである（図５参照）。
【００３１】
よって、図１においては、薄板帯状固定板５は２枚しか現れていないが、実際には図５に示すように、上記振動篩用網２の横方向に沿って間隔ｔ２を以って複数設けられるものである。尚、図５の実施形態では、防振ゴム１０の支持棒１１の位置の３か所に上記薄板帯状固定板５が各々設けられている。この防振ゴム１０は、図１に円形破線で示すように、薄板帯状固定板５の下面に沿って、縦方向に複数設けても良いし、防振ゴム１０自体を上記薄板帯状固定板５に沿った縦長形状に形成し、上記薄板帯状固定板５の下面を支持するように構成しても良い。尚、図１に示すように薄板帯状固定板５の下面に、さらに薄いウレタン製の固定板５’を高さ調整のために設けても良い。
【００３２】
上記振動篩用網２及び上記薄板帯状固定板５の下側には、上記振動篩用網２の升目よりも大きな升目の目詰まり解消用の叩打用網４が設けられている。
【００３３】
この叩打用網４は、上記振動篩用網２の合成樹脂製横線２ａに平行な合成樹脂製横線４ａと、上記振動篩用網２の合成樹脂製縦線２ｂに平行な合成樹脂製縦線４ｂとから構成され、上記合成樹脂製横線４ａと上記合成樹脂製縦線４ｂとの交差部４’は全て熱溶着により固定され、これにより叩打用網４が構成されている。この叩打用網４の各線４ａ，４ｂの直径は上記振動篩用網２の縦横線２ａ，２ｂの直径よりも大きく、直径は上記振動篩用網の約２倍〜約２．５倍の太さを有する。また、上記叩打用網４の１個の升目は、上記振動篩用網２の１個の升目の約１６倍の大きさを有するように構成されている。
【００３４】
このような叩打用網４は上記薄板帯状固定板５の下側位置においてのみ、当該薄板帯状固定板５の裏面５ｂに固定されており、隣接する上記薄板帯状固定板５，５間の範囲においては上記振動篩用網２の下側には接続（固定）されていない。より具体的には、上記薄板帯状固定板５の下側に位置する叩打用網４の合成樹脂製縦線４ｂが上記薄板帯状固定板５の下面に熱溶着により固定されており、その他の合成樹脂製縦線４ｂは、上記振動篩用網２の下側において、当該振動篩用網２に接続されておらず、フリーの状態となっている。即ち、上記振動篩用網２の合成樹脂製横線２ａと上記叩打用網４の合成樹脂製縦線４ｂとの間には一定の隙間が形成されている。
【００３５】
従って、当該目詰まり防止機能付振動篩用網１を、図５に示すように、振動篩装置７（後述）に張設して、装置を振動させた場合、上記薄板帯状固定板５，５間の叩打用網４は、上下方向に振動し、上方に振動したときに上側の上記振動篩用網２に下側から当接、叩打し、その結果、上記振動篩用網２の目詰まりを解消し得るものである。
【００３６】
さらに、上記各薄板帯状固定板５，５の長手方向の両側の縁５ｃ，５ｃ’に沿う一定横幅Ａ１，Ａ１’（図１参照）における上記振動篩用網２の縦方向エリアＳ，Ｓ’（図５、図１０参照）は、図９に示すように、熱溶着された上記交差部２’の中に、複数の連続する上記交差部を非溶着交差部２”とした方形の非溶着範囲Ｅ１が形成されている。
【００３７】
即ち、上記薄板帯状固定板５，５の長手方向の両側の縁５ｃ，５ｃ’に沿う一定（所定）の横幅Ａ１，Ａ１’（図１参照）における上記振動篩用網２の上記縦方向エリアＳ，Ｓ’（図５、図１０参照）は、複数の連続する上記交差部を非溶着交差部２”とした非溶着範囲Ｅ１と、複数の連続する溶着された上記交差部２’により形成された溶着範囲Ｅ２とが、交互に形成されるように構成する（図１０参照）。尚、図９において、ハッチングで示した交差部は熱溶着した交差部２’を示し、ハッチングのない交差部は熱溶着していない非溶着交差部２”を示す（図８も同じ）。
【００３８】
又は、上記薄板帯状固定板５，５の長手方向の両側の縁５ｃ，５ｃ’に沿う一定（所定）の横幅Ａ１，Ａ１’（図１参照）における上記振動篩用網２の縦方向エリアＳ，Ｓ’（図５、図１０参照）は、図８に示すように、上記各交差部において千鳥状に非溶着交差部２”が形成されるように構成しても良い。
【００３９】
上記振動篩用網２の上記一定の横幅Ａ１，Ａ１’の上記縦方向エリアＳ，Ｓ’は、上記叩打用網４の振動ストロークが、叩打用網４の中央部分に比べて小さいため、又は上記中央部における叩打用網４の叩打による振動が上記縦方向エリアＳ，Ｓ’にも伝達して当該エリアＳ，Ｓ’の振動篩用網も振動するが、中央部に比べて叩打による伝達振動が小さいため、叩打による目詰まり防止効果が低下する。従って、上記縦方向エリアＳ，Ｓ’において、非溶着範囲Ｅ１又は千鳥状の非溶着交差部２”を設けることにより、当該縦方向エリアＳ，Ｓ’においても、目詰まりが容易に解消されるように構成されている。
【００４０】
上記目詰まり防止機構付振動篩用網１は、図５に示すように、上記合成樹脂製横線２ａの両縁２ａ’，２ａ’が各々反対方向（矢印Ｂ，Ｂ’方向）に伸長された状態で、振動篩装置７の一対の平行な振動縦板６，６’間に張設され、上記叩打用網４における上記薄板帯状固定板５，５に固定された部分の下側に、支持棒１１上の防振ゴム１０が当接した状態となっている。尚、図５において８は上記支持棒１１を固定するための固定用横杆である。尚、上述のように上記防振ゴム１０は縦方向に複数個設けても良いし、縦方向に長い１条の防振ゴムでも良い。また、上記支持棒１１も、上記防振ゴム１０に対応して複数本設けても良いし、縦方向に長い板状の部材（支持柱１１）であっても良い。
【００４１】
上記振動篩装置７は、図７に示すように、地面Ｇに設置された固定機枠２１に、支持装置１２，１２によって、上記振動縦板６，６’が振動可能に支持されている。上記地面Ｇ上にはモータ用の固定機枠１３が設置され、該機枠１３上に駆動用のモータＭが固定されている。上記振動縦板６，６’上にはバイブレータ１４が設けられ、上記バイブレータ１４の回転体１４ａと上記モータＭのプーリＰとは駆動ベルト１５が掛け渡されている。
【００４２】
上記バイブレータ１４の回転体１４ａのドライブ軸には偏心錘（図示せず）が固定されており、上記モータＭを駆動して上記回転体１４ａを回転することにより、バイブレータ１４が振動し、その結果、上記振動縦板６，６’が振動することで、上記振動縦板６，６’間に張設された上記目詰まり防止機能付振動篩用網１（図７中二点鎖線で示す）を振動させることができる。
【００４３】
振動の方向は、例えば、図７に矢印Ｃにて示すように、鉛直に対して４５度傾斜した中心軸Ｐの周りの楕円軌道に沿った振動であり、この楕円軌道に沿って上記目詰まり防止機能付振動篩用網１が振動することになる。
【００４４】
上記目詰まり防止機能付振動篩用網１の左右両端部は図６に示すように、上記振動縦板６，６’間に固定される。尚、上記目詰まり防止機能付振動篩用網１の左右両側縁の固定構造は左右対称なので、図６により左側の固定構造のみを説明する。同図において、振動縦板６，６’の内側にはＬ型アングル１９が固定され、当該Ｌ型アングル１９の上部にはクラッピングバー１６がその上端部１６ａを支点として、下端部１６ｂを上記アングル１９上に向けて配置され、かつテンションボルト１７が上記クラッピングバー１６の内側から斜め方向に設けられ、当該テンションボルト１７の端部は上記振動縦板６を貫通して該振動縦板６の外側にてナット１８にて固定されている。
【００４５】
かかる構造において、上記目詰まり防止機能付振動篩用網１の左右両側縁にはフック２０が固定されており、上記フック２０を上記クラッピングバー１６の下端部１６ｂに係合し、上記テンションボルト１７をねじ込むことにより、上記フック２０を上記下端部１６ｂと上記Ｌ型アングル１９の上面１９ａとの間に挟持することにより、上記一対の振動縦板６，６’の間に上記目詰まり防止機能付振動篩用網１を張設する。そして、上記テンションボルト１７をねじ込むことにより、上記振動篩用網１に、矢印Ｂ，Ｂ’方向のテンションをかけるように構成する。
【００４６】
そして、図５に示すように、上記目詰まり防止機能付振動篩用網１に反対方向（矢印Ｂ，Ｂ’方向）のテンションをかけた状態で、上記振動篩用網２の下側に位置する固定横杆８に、当該振動篩用網１の下側から上記薄板帯状固定板５の対応位置に複数の支持棒１１を立設し、各支持棒１１の上部に各々防振ゴム１０を固定し、上記各防振ゴム１０を上記目詰まり防止機構付振動篩用網１の上記薄板帯状固定板５の下側の叩打用網４に下から当接する。そして、中央の支持棒１１を両サイドの支持棒１１より若干長く形成することにより、上記振動篩用網１の中央部を若干持ち上げ、全体として中央が若干持ち上がった緩やかな円弧形（上に凸）となるように張設する（図５参照）。
【００４７】
上記振動篩装置７においては、入口７ａから骨材等の原材料が投入され、当該装置７内においては、二点鎖線で示すように目詰まり防止用振動篩用網１を設置する。そして上記入口７ａから投入された原材料は上記目詰まり防止機能付振動篩用網１にて篩動作が行われ、当該網１上の原材料（被篩体）は矢印Ｉ方向に進んで出口７ｂから矢印Ｆ方向に排出されるように構成されている。  
【００４８】
本発明の目詰まり防止機能付振動篩用網１は上述のように構成されているので、本発明に係る目詰まり防止機能付振動篩用網１を図５に示すように振動篩装置７の振動縦板６，６’間に張設し、上記モータＭを駆動して上記振動縦板６，６’を矢印Ｃ方向の楕円軌道に沿って振動させる。すると、図４に示すように、目詰まり防止機能付振動篩用網１の上側の振動篩用網２が上記楕円軌道に沿って振動すると共に、叩打用網４は、上記防止ゴム１０と防振ゴム１０との間において、中央部を最も大きな振幅（ストローク）を以って上下方向（矢印Ｄ方向）に振動し、上記振動篩用網２の下側の略全体に亘り、叩打を繰り返し行う。尚、目詰まり防止機構付振動篩耀網１の振動の軌道は、上記の楕円軌道に限らず、円軌道、上下方向の直線軌道に沿う振動、斜め上下方向の直線軌道に沿う振動等、各種の振動が考えられる。
【００４９】
この状態で、振動篩装置７の投入口７ａから例えば骨材を投入する。上記振動篩用網２の上側から当該網１に投入された骨材は、振動篩用網２上に落下すると共に、当該振動篩用網２の楕円軌道に沿う振動により、篩動作が行われる。即ち、上記振動篩用網２の升目より小さい骨材は当該振動篩用網２を通過して下方に落下して集積され、上記升目より大きい骨材は上記振動篩用網２の上を矢印Ｉ方向に移動して出口７ｂから矢印Ｆ方向に移動して図示しない搬送用コンベア等により移送される。かかる動作により、上記振動篩用網２にて篩分けすることができる。
【００５０】
ここで、振動篩用網２の下面には、叩打用網４が常時上下方向に振動することにより、当該叩打用網４の上面が上記振動篩用網２の下面の広範囲を常時叩打しているので、上記振動用網２の升目に細かい粒子が付着して升目を塞いだとしても、当該升目は、直後に叩打用網４により下側から叩打されるので、上記升目を塞いだ粒子は上記叩打の振動により、直ちに当該升目から離脱して下方に落下集積する。
【００５１】
上記叩打用網４の升目の大きさは、上記振動篩用網４の升目より大（例えば１６倍の大きさ）なので、上記振動篩用網２の升目から離脱した粒子は、叩打用網４の升目を容易に通過して下方に落下集積することができる。
【００５２】
上記振動篩用網２の上記薄板帯状固定板５の両側の縁に沿った縦方向エリアＳ，Ｓ’の部分では、上記叩打用網４の上下方向のストロークが小さい、又は振動篩用網２の中央部から伝達される振動が小さいため、叩打による目詰まり防止の効果が中央部に比べて低下するが、上記縦方向エリアＳ，Ｓ’において、図１０に示すように、非溶着範囲Ｅ１が上記薄板帯状固定板５の両側に沿って縦方向に、溶着範囲Ｅ２と交互に設けられている。
【００５３】
従って、上記非溶着範囲Ｅ１において、非溶着交差部２”は熱溶着されていないので、この範囲Ｅ１内において、升目を粒子が塞いだとしても、非溶着交差部２”における合成樹脂製横線２ａと合成樹脂製縦線２ｂは容易に上下に離間し得る。よって、叩打用網４のより力の弱い叩打、又は振動篩用網２の中央部の振動に比べて弱い振動によっても、上記升目を塞いだ粒子を下方に容易に落下させることができる。
【００５４】
即ち、図９に示すように非溶着範囲Ｅ１においては、非溶着交差部２”が熱溶着されていないので、複数の非溶着交差部２”において、複数本の合成樹脂製縦線２ｂに対して、それに交差する複数本の合成樹脂製横線２ａが全体として下方に離脱し得て、実質的に１つの升目の面積が広がるような効果を発揮し、非溶着範囲Ｅ１において、より弱い叩打力により、骨材（小さい粒子等）を容易に下方に落下させることができ、効果的に目詰まりを防止することができる。
【００５５】
このような効果は、図５において、複数の薄板帯状固定板５に沿う横幅Ａ１，Ａ１’の複数の縦方向エリアＳ，Ｓ’において、各々発揮し得るので、目詰まり防止機能付振動篩用網１としては、叩打用網４のストロークの小さい薄板帯状固定板５の両側の横幅Ａ１，Ａ１’の縦方向エリアＳ，Ｓ’部分を含めて、振動篩用網２の略全体に亘って、目詰まりを効果的に防止、解消することができる。
【００５６】
また、図８に示すように、上記一定の横幅Ａ１，Ａ１’の縦方向エリアＳ，Ｓ’部分の交差部において、千鳥状に非溶着交差部２”を形成した場合も、同様に、効果的に目詰まりを防止することができる。千鳥状に非溶着交差部２”を配置した場合は、図８に示すように、その部分の升目が実質的に略４倍に広がることになるため、より弱い叩打力によっても、又は中央部よりより弱い振動であっても、容易に升目を塞いだ粒子を下方に落下させることができる。即ち、千鳥配置の場合も、図１０に示すように横幅Ａ１，Ａ１’の縦方向エリアＳ，Ｓ’においては、交差部が千鳥状に熱溶着されていないので、升目が実質的に略４倍に広がった効果を発揮して、上記エリアＳ，Ｓ’において、より弱い叩打力により、又はより弱い振動により、効果的に目詰まりを防止することができる。
【００５７】
このような効果は、図５において、複数の薄板帯状固定板５に沿う縦方向エリアＳ，Ｓ’の範囲において、各々発揮し得るので、目詰まり防止機能付振動篩用網１としては、叩打用網４のストロークの小さい薄板帯状固定板５の両側の縦方向エリアＳ，Ｓ’の部分を含めて、振動篩用網２全域の目詰まりを効果的に防止することができる。
【００５８】
しかも、従来の球状の叩打ボールを使用する場合に比べて、目詰まり防止用振動篩用網１を傾斜させて配置しても、叩打用網４による叩打作用には何ら影響はないため、振動篩用網を傾斜状態で使用する場合であっても、何ら支障なく使用することができる。
【００５９】
本発明は、以上のように、目詰まり防止機能付振動篩用網１を、その合成樹脂製横線２ａの両端側を一対の振動縦板６，６’等の固定部材に固定することで振動篩装置７に張設し、上記薄板帯状固定板５に対応する下側を支持部材にて支持した状態で、上記目詰まり防止機構付振動用網２を振動させると、各薄板帯状固定板間５の叩打用網４がその中央部を最大ストロークとして上下方向に振動し、振動篩用網２の下側を叩打するため、上記振動篩用網２の目詰まりを効果的に防止することができる。
【００６０】
また、振動篩用網２と叩打用網４が一体であるので、目詰まり防止機能付振動篩用網１を振動篩装置７に傾斜して設置しても、従来のように球体が偏在することがなく、目詰まり防止機能が低下することはない。
【００６１】
また、叩打用網４の中央部に比較して振動ストロークの小さい薄板帯状固定板５の両側の縦方向エリアＳ，Ｓ’においては、振動篩用網２の交差部に非溶着範囲Ｅ１が形成されているので、上記縦方向エリアにおいては叩打用網４の比較的小さいストロークによる叩打作用、又は、振動篩用網２の小さい伝達振動であっても効果的に目詰まりを防止することができ、振動篩用網２の略全面に亘り高い目詰まり防止効果を発揮することができる。
【００６２】
また、叩打用網２の中央部に比較してストロークの小さい薄板帯状固定板５の両側の縦方向エリアＳ，Ｓ’においては、交差部において千鳥状に非溶着範囲Ｅ１が形成されているので、叩打用網４の比較的小さいストロークによる叩打作用、又は小さい伝達振動であっても効果的に目詰まりを防止することができ、振動篩用網２の略全面に亘り高い目詰まりを防止効果を発揮することができる。
【００６３】
また、振動縦板６，６’を楕円軌跡等を含む上下方向又は斜め上下方向に振動させると、各薄板帯状固定板５間の叩打用網４がその中央部を最大ストロークとして上下方向に振動し、振動篩用網２の下側を叩打するため、上記振動篩用網２の目詰まりを効果的に防止し得る振動篩装置を実現することができる。
【００６４】
上記目詰まり防止機能付振動篩用網の材質はウレタンとしたが、合成樹脂であれば他の材料であっても差し支えない。また、縦方向エリアＳ，Ｓ’は縦方向に一定の幅（横幅Ａ１，Ａ１’）で設けたが、必ずしも縦方向エリアの幅は一定でなくてもよく、例えば縦方向の位置に応じて、横方向に広いエリア、狭いエリアを設けても良い。
【産業上の利用可能性】
【００６５】
本発明に係る目詰まり防止機構付振動篩用網は、傾斜状態で設置しても、振動篩用網の略全面に亘り目詰まり防止効果を発揮し得るので、広く利用されることが期待される。
【符号の説明】
【００６６】
１        目詰まり防止機構付振動篩用網
２        振動篩用網
２’      交差部
２”      非溶着交差部
２ａ      合成樹脂製横線
２ｂ      合成樹脂製縦線
３        芯線
４        叩打用網
５        薄板帯状固定板
６，６’  振動縦板
１０      防振ゴム
１１      支持棒
Ｅ１      非溶着範囲
Ｅ２      溶着範囲
Ｓ，Ｓ’      縦方向エリア
Ａ１，Ａ１’  横幅
【図１】
2019069422.tif 000003
【図２】
2019069422.tif 000004
【図３】
2019069422.tif 000005
【図４】
2019069422.tif 000006
【図５】
2019069422.tif 000007
【図６】
2019069422.tif 000008
【図７】
2019069422.tif 000009
【図８】
2019069422.tif 000010
【図９】
2019069422.tif 000011
【図１０】
2019069422.tif 000012
【手続補正書】
【提出日】平成30年10月31日(2018.10.31)
【手続補正１】
【補正対象書類名】特許請求の範囲
【補正対象項目名】請求項１
【補正方法】変更
【補正の内容】
【請求項１】
芯線のない複数の平行な合成樹脂製縦線と、これらの合成樹脂製縦線に交差するものであって金属製の芯線を埋設された複数の平行な合成樹脂製横線とを、それらの交差部にて熱溶着して縦横一体とした振動篩用網を有する目詰まり防止機能付振動篩用網において、
上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設されており、
上記叩打用網は上記薄板帯状固定板の下側位置においてのみ、当該薄板帯状固定板に固定され、隣接する上記薄板帯状固定板間の範囲においては上記振動篩用網の下側には接続されていないものであって、
上記振動篩用網は、上記合成樹脂製横線の両縁が各々反対方向に伸長された状態で上記合成樹脂製横線の両端側が一対の振動縦板の間に張設し得るように構成され、
かつ、上記振動篩用網は、上記叩打用網における上記各薄板帯状固定板に固定された部分の下側に、上記振動縦板に固定用横杆を以って固定された複数の支持部材が当接状態で設けられることで、上記振動篩用網の中央部が上方に持ち上がった緩やかな円弧状となるように上記振動縦板間に張設し得るように構成され、
上記振動縦板の振動に基づいて、上記薄板状固定板間の上記叩打用網が上下方向に振動されることにより、上記叩打用網を以って上記振動篩用網の下面を叩打し得るように構成されたものであることを特徴とする目詰まり防止機能付振動篩用網。
【手続補正２】
【補正対象書類名】特許請求の範囲
【補正対象項目名】請求項４
【補正方法】変更
【補正の内容】
【請求項４】
上記各薄板帯状固定板の長手方向の両側の縁に沿う一定の横幅の各縦方向エリアにおける上記振動篩用網は、上記各交差部において千鳥状に非溶着交差部が形成されているものである請求項１記載の目詰まり防止機能付振動篩用網。
【手続補正３】
【補正対象書類名】特許請求の範囲
【補正対象項目名】請求項５
【補正方法】変更
【補正の内容】
【請求項５】
上記振動篩用網の上記合成樹脂製横線の両縁を各々反対方向に伸長した張設状態で上記合成樹脂製横線の両端側を各々固定する上記一対の振動縦板と、
上記振動縦板に上記固定用横杆を以って固定されたものであって、上記一対の振動縦板間に張設された上記振動篩用網において、当該振動篩用網の上記叩打用網における上記各薄板帯状固定板に固定された部分の下側に当接されて上記振動篩用網を上方に持ち上げ、上記振動篩用網の中央部が上方に持ち上がった緩やかな円弧状となるように上記振動篩用網を上記一対の振動縦板間にさらに張設するための上記複数の支持部材と、
上記振動縦板を振動させるためのバイブレータ及び上記バイブレータを駆動するためのモータとを具備し、
上記モータにより上記振動縦板を振動させることにより、上記薄板状固定板間の上記叩打用網を上下方向に振動させ、これにより上記叩打用網を以って上記振動篩用網の下面を叩打し得るように構成されたものである請求項１〜４の何れかに記載の目詰まり防止機構付振動篩用網を使用した振動篩装置。
【手続補正４】
【補正対象書類名】明細書
【補正対象項目名】０００８
【補正方法】変更
【補正の内容】
【０００８】
上記の目的を達成するために本発明は、
芯線のない複数の平行な合成樹脂製縦線と、これらの合成樹脂製縦線に交差するものであって金属製の芯線を埋設された複数の平行な合成樹脂製横線とを、それらの交差部にて熱溶着して縦横一体とした振動篩用網を有する目詰まり防止機能付振動篩用網において、上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設されており、上記叩打用網は上記薄板帯状固定板の下側位置においてのみ、当該薄板帯状固定板に固定され、隣接する上記薄板帯状固定板間の範囲においては上記振動篩用網の下側には接続されていないものであって、上記振動篩用網は、上記合成樹脂製横線の両縁が各々反対方向に伸長された状態で上記合成樹脂製横線の両端側が一対の振動縦板の間に張設し得るように構成され、かつ、上記振動篩用網は、上記叩打用網における上記各薄板帯状固定板に固定された部分の下側に、上記振動縦板に固定用横杆を以って固定された複数の支持部材が当接状態で設けられることで、上記振動篩用網の中央部が上方に持ち上がった緩やかな円弧状となるように上記振動縦板間に張設し得るように構成され、上記振動縦板の振動に基づいて、上記薄板状固定板間の上記叩打用網が上下方向に振動されることにより、上記叩打用網を以って上記振動篩用網の下面を叩打し得るように構成されたものであることを特徴とする目詰まり防止機能付振動篩用網により構成される。
【手続補正５】
【補正対象書類名】明細書
【補正対象項目名】００１６
【補正方法】変更
【補正の内容】
【００１６】
第５に、上記振動篩用網の上記合成樹脂製横線の両縁を各々反対方向に伸長した張設状態で上記合成樹脂製横線の両端側を各々固定する上記一対の振動縦板と、上記振動縦板に上記固定用横杆を以って固定されたものであって、上記一対の振動縦板間に張設された上記振動篩用網において、当該振動篩用網の上記叩打用網における上記各薄板帯状固定板に固定された部分の下側に当接されて上記振動篩用網を上方に持ち上げ、上記振動篩用網の中央部が上方に持ち上がった緩やかな円弧状となるように上記振動篩用網を上記一対の振動縦板間にさらに張設するための上記複数の支持部材と、上記振動縦板を振動させるためのバイブレータ及び上記バイブレータを駆動するためのモータとを具備し、上記モータにより上記振動縦板を振動させることにより、上記薄板状固定板間の上記叩打用網を上下方向に振動させ、これにより上記叩打用網を以って上記振動篩用網の下面を叩打し得るように構成されたものである上記第１〜４の何れかに記載の目詰まり防止機構付振動篩用網を使用した振動篩装置により構成される。
【手続補正６】
【補正対象書類名】明細書
【補正対象項目名】００１７
【補正方法】変更
【補正の内容】
【００１７】
上記支持部材は、例えば上端に防振ゴム（１０）が固定された支持棒（１１）により構成することができる。このように構成すると、振動縦板を楕円軌跡等を含む上下方向又は斜め上下方向に振動させると、各薄板帯状固定板間の叩打用網がその中央部を最大ストロークとして上下方向に振動し、振動篩用網の下側を叩打するため、上記振動篩用網の目詰まりを効果的に防止することができる。